(57)【特許請求の範囲】
【請求項１】
カム部材を有し装置本体側へ取り付けられる取付部材と、原稿圧着板を支持するために前記取付部材に対しヒンジピンを介して回動自在に連結される支持部材と、この支持部材内に弾性手段を作用させて収装され前記カム部材側に摺動附勢されたスライダーとから成るものにおいて、前記カム部材を合成樹脂製と成し、前記スライダーの摺動を該スライダーと前記支持部材との間の帯状の凹凸係合でガイドすると共に、前記スライダーの先端に前記カム部材の材質と同じ材質の合成樹脂製のピンを嵌め込んで前記カム部材のカム部に圧接させ、このピンとカム部との間に潤滑剤を塗布させて成り、前記取付部材に前記支持部材の回動角度の最大角度で該支持部材に当接するストッパー部を設けると共に、前記取付部材にはさらにストッパー部材を着脱可能に取り付け、このストッパー部材へ前記支持部材の前記最大角度より手前の回動角度で前記スライダーの一部を当接させてその回動角度を規制するように構成したことを特徴とする、原稿圧着板開閉装置。
【請求項２】
カム部材がＰＯＭ樹脂製であることを特徴とする、請求項１記載の原稿圧着板開閉装置。
【請求項３】
カム部材と支持部材及びピンがＰＯＭ樹脂製であり、スライダーがＰＢＴ樹脂製であることを特徴とする、請求項１記載の原稿圧着板開閉装置。
【発明の詳細な説明】
【０００１】
【産業上の利用分野】
この発明は、複写機や印刷機等に用いて好適な原稿圧着板開閉装置に関する。
【０００２】
【従来の技術】
従来、複写機本体側に取り付けられる取付部材と、この取付部材にヒンジピンを介して回動自在に連結された原稿圧着板を支持する支持部材と、前記取付部材側に設けた合成樹脂製のカム部材と、前記支持部材内部に前記カム部材側に向けて摺動附勢させて収納させたスライダーと、前記支持部材の両側板に設けたガイド溝に両端部を嵌入させつつ前記スライダーとカム部材との摺動可能に介在させた金属製ピンとで構成した原稿圧着板開閉装置が公知である。
【０００３】
【発明が解決しようとする課題】
この従来公知の開閉装置は、求められる耐久性が開閉動作３万〜４万回のものにあっては、これで充分に機能するが、開閉動作が３万〜４万回を越えてくると、ピンの両端部を嵌入させたガイド溝が変形してしまったり、或はカム部材のカム部が金属製のピンによって削られて変形してしまうなどして、異音やきしみ音を発生させたり、支持部材に取り付けた原稿圧着板が設計通りに０°まで閉まらない場合が生ずるという問題があった。
【０００４】
この発明の目的は、装置本体側へ取り付けられた取付部材に設けたカム部材と、このカム部材に圧接する弾性手段を作用させたスライダーを収装させて取付部材にヒンジピンを介して回動自在に連結された支持部材とから成るものにおいて、カム部材のカム部の変形やスライダーの摺動に伴う支持部材の変形を防止して耐久性を増大させた原稿圧着板開閉装置を提供せんとするにある。
【０００５】
【課題を解決するための手段】
上述した目的を達成する為にこの発明は、カム部材を有し装置本体側へ取り付けられる取付部材と、原稿圧着板を支持するために前記取付部材に対しヒンジピンを介して回動自在に連結される支持部材と、この支持部材内に弾性手段を作用させて収装され前記カム部材側に摺動附勢されたスライダーとから成るものにおいて、前記カム部材を合成樹脂製と成し、前記スライダーの摺動を該スライダーと前記支持部材との間の帯状の凹凸係合でガイドすると共に、前記スライダーの先端に前記カム部材の材質と同じ材質の合成樹脂製のピンを嵌め込んで前記カム部材のカム部に圧接させ、このピンとカム部との間に潤滑剤を塗布させて成り、前記取付部材に前記支持部材の回動角度の最大角度で該支持部材に当接するストッパー部を設けると共に、前記取付部材にはさらにストッパー部材を着脱可能に取り付け、このストッパー部材へ前記支持部材の前記最大角度より手前の回動角度で前記スライダーの一部を当接させてその回動角度を規制するように構成したことを特徴とする。
【０００６】
その際にこの発明は、カム部材をＰＯＭ樹脂製としたり、或はカム部材と支持部材及びピンをＰＯＭ樹脂製とし、スライダーをＰＢＴ樹脂製とすることができる。
【０００７】
【作用】
請求項１のように構成すると、支持部材内において摺動させられるスライダーが、該支持部材との間で互いに帯状の凹凸嵌合によってガイドされるので、長期間使用の後においても帯状の凹部や凸部が変形することなくスライダーのスムーズな摺動を図ることができる上に、カム部材のカム部上を圧接状態で摺動するスライダーの先端に取り付けたピンをカム部材と同じ材質のものとしたので、両者の間に塗布させた潤滑剤の潤滑作用と相まって、長期間使用してもピン及びカム部の変形を防止することができるものである。
【０００８】
請求項２のように構成するとカム部材の材質が摩擦係数が小さく耐摩耗性、耐疲労性に優れたものとなることから耐久性が増大する。
【０００９】
請求項３のように構成すると、上述した作用を奏する上に、全部材をＰＯＭ樹脂で構成した場合よりも支持部材とスライダーとの間の滑りが良くなる。
【００１０】
【実施例】
図面によれば、例えば複写機本体１の後部上端に設けられた取付挿入穴１ａには、その挿入脚２を挿脱自在に挿入させて取付部材３が取り付けられている。この取付部材３は例えばＰＯＭ（ポリアセタール）樹脂製であり、その上部には一体的にカム部材４と一対の第２ストッパー部３ａが形成されている。尚、この取付部材３は一例であり、カム部材のみを合成樹脂製とし、他の部分を例えば金属製としても良い。挿入脚がないものも含まれる。取付部材３のカム部材４の部分には、同じくＰＯＭ樹脂製の支持部材５が、その両側板５ａ，５ａの一端をヒンジピン６を介して連結することによって回動自在に取り付けられている。尚、６ａ，６ａはスペーサーである。
【００１１】
この支持部材５にはカム部材４側に開口する収装穴７が設けられており、この収装穴７内には例えばコンプレッションスプリングから成る弾性手段８を作用させた、例えばＰＢＴ（ポリブチレンテレフタレート）樹脂製のスライダー９が、カム部材４側に向けて摺動附勢されて収装されている。このスライダー９はその両側部に帯状の凸条部９ａ，９ａが設けられ、この一対の凸条部９ａ，９ａを支持部材５の両側板５ａ，５ａに設けた同じく帯状の凹条部５ｂ，５ｂと係合しており、この凹条部５ｂ，５ｂにガイドされて摺動するようになっている。この凸条部９ａ，９ａと凹条部５ｂ，５ｂはこれを逆に設けても良い。
【００１２】
尚、支持部材は実施例のものは合成樹脂製であるが、プレス加工して作った鉄板製としても良いことは勿論である。支持部材５の両側板５ａ，５ａからは、取付板５ｃ，５ｃが突設され、この取付板５ｃ，５ｃに原稿圧着板１１がその後端部を固着させている。
【００１３】
そして、スライダー９の先端に設けた凹部９ｂには、カム部材４と同じ材質のＰＯＭ樹脂製のピン１０が係着され、カム部材４のカム部４ａに圧接しており、カム部材４のカム部４ａとピン１０との間には、例えばシリコンオイル等の潤滑剤が塗布されている。尚、この潤滑剤は例えばモリコート（登録商標）のようなものをコーティングすることによる乾質性のものであっても良い。
【００１４】
１３はストッパー部材であり、ビス１４によって取付部材３の頂部に取り付けられている。このストッパー部材１３は支持部材５しかして原稿圧着板は開成角度を６０°に規制するが、これを取り外すと支持部材５が第２ストッパー部３ａに当接する８０°まで開くことが可能となり、メンテナンス時や修理時に便利となる。
【００１５】
したがて、原稿圧着板１１を複写機本体１に対して閉じている時には、とくに図２に示したように、ピン１０がカム部材４のカム部４ａの始端部４ｂに当接しており、ヒンジピン６、ピン１０の各中心、及び弾性手段８の作用軸が同一線上にあることから、原稿圧着板１１は自重で閉成状態を維持し、図示してない原稿をコンタクトガラス１２上へ押圧させている。
【００１６】
原稿圧着板１１を開くにつれて支持部材５はヒンジピン６を支点に時計方向に回動し、ピン１０はカム部４ａ上を滑って次第にヒンジピン６に近づいて行くので、スライダー９は弾性手段８の弾力により押されて摺動して複写機本体１側へ近づく。これにつれて弾性手段８の弾力は弱まるが、同時に原稿圧着板１１がヒンジピン６の回りに発生させている回転トルクも弱まり、ピン１０がカム部４ａの係止部４ｃに至り係合する頃には、原稿圧着板１１の回転トルクより弾性手段８の弾力が勝ることになるので、図４に示したように原稿圧着板１１はこの開成位置で安定的に保持され、手を離しても自然に閉じてしまうことはない。この開成角度は実施例のもので約６０°である。
【００１７】
原稿圧着板１１を閉じる際には、スライダー９は弾性手段８の弾力に抗して先ほどとは逆の方向に摺動を強制されるので、ピン１０とカム部４ａとの間の摩擦力も加わり、原稿圧着板１１が急激に閉じるのを可及的に防止することができるものである。また、原稿圧着板１１は、それがヒンジピン６の回りに発生させるトルクと、弾性手段８の弾力とがバランスする中間開角度で停止し、この位置で安定保持させることができる。
【００１８】
原稿圧着板１１の開閉動作に伴い、弾性手段８によって一方向に移動附勢させているスライダー９がピン１０を介してカム部４ａに案内されて前後に摺動し、該原稿圧着板１１の開閉動作を制御するものである。
【００１９】
他方、原稿が本のように厚い場合には、図示は省略するが、複写機本体１側に設けられたコンタクトガラス１２上に本を置いて原稿圧着板１１を閉じると、挺子の原理により、挿入脚２が複写機本体１の挿入穴１ａにより上方に抜けて取付部材３ごと支持部材５、及び原稿圧着板１１を上昇させ、閉じた原稿圧着板８が本に対して水平状態となるように機能するものである。
【００２０】
【発明の効果】
この発明は以上のように構成したので、次のような効果を奏し得る。
【００２１】
請求項１のように構成すると、支持部材の回動に伴うスライダーの摺動がスムーズとなり、かつ、カム部材とこのカム部材に圧接するピンと同材質の合成樹脂としたことにより、長期間使用の後においても異音やきしみ音を発生させたり、或はカム部の削れや変形がなくなり、１０万回の使用回数に耐えるものを実現できるという効果を奏し得る。
【００２２】
請求項２と３のように構成すると、いずれも耐久性が増大し、とくに請求項３のように構成すると、支持部材とスライダーとの間の異音の発生をより一層防止し、スライダーのスムーズな摺動を図ることができるという効果を奏し得る。
【図面の簡単な説明】
【図１】この発明に係る原稿圧着板開閉装置の平面図である。
【図２】支持部材の部分のみを図１のＡ−Ａ線で割って見た断面図である。
【図３】図１のＢ−Ｂ線断面図である。
【図４】図２に対応し、原稿圧着板を開いた状態を示す断面図である。
【図５】ストッパー部材の部分の分解図である。
【図６】支持部材のみの断面図である。
【図７】スライダーの側面図である。
【符号の説明】
１  複写機本体
２  挿入脚
３  取付部材
４  カム部材
４ａ  カム部
５  支持部材
５ｂ  凹条部
６  ヒンジピン
８  弾性手段
９  スライダー
９ａ  凸条部
１０  ピン
１１  原稿圧着板
【図１】
0003611259.tif 000002
【図２】
0003611259.tif 000003
【図３】
0003611259.tif 000004
【図４】
0003611259.tif 000005
【図５】
0003611259.tif 000006
【図６】
0003611259.tif 000007
【図７】
0003611259.tif 000008